(57)【要約】【課題】調理材料に臭い移りがなく、かつ調理途中での調理材料の追加、あるいは、少量ずつ投入しながら粉砕できる電動調理器を提供することを目的とする。【解決手段】容器２７を上下２容器３２、３３に分離して構成し、前記２容器を連通する連通口３６を設けて、異なった調理材料を各々の容器３２、３３内で粉砕するようにしたものであり、異なった材料、および粉砕を異なった容器内で行うことができるとともに、調理途中での調理材料の追加、あるいは、少量ずつ投入しながら粉砕することができる。【選択図】　図１
2004016693.tif 000002
【特許請求の範囲】
【請求項１】
モータを内蔵した本体と、前記本体上に着脱自在に嵌合し、かつ前記モータにより回転駆動されるカッターを設けた容器基台と、前記容器基台に着脱自在とする嵌合部を両端の開口部に形成した容器とを備え、前記容器は上下２容器に分離する壁面を有し、かつ壁面には前記２容器を連通させる連通口を設けた電動調理器。
【請求項２】
２容器は、それぞれ異なる形状に形成した請求項１に記載の電動調理器。
【請求項３】
２容器は、それぞれ異なった材料で形成した請求項１に記載の電動調理器。
【請求項４】
２容器は、それぞれ異なった色で形成した請求項１に記載の電動調理器。
【請求項５】
２容器は分離自在とし、一方の容器は両端を開口形状とし、他方の容器は、一端に連通口を設けた壁面を有し他端は開口形状とし、かつ２容器には、ともに容器基台に着脱自在とするとともに連通口を設けた容器を他の容器に対して可逆的に結合した請求項１〜３のいずれか１項に記載の電動調理器。
【発明の詳細な説明】
【０００１】
【発明の属する技術分野】
本発明は、モータにより容器内に設けたカッターを回転させ、果物、野菜、ドレッシングやスープの基となる液体、あるいは乾物材料などの調理材料を切削・撹拌・粉砕するミキサーあるいは粉砕機などの電動調理器に関するものである。
【０００２】
【従来の技術】
従来、粉砕機などの電動調理器は回転するカッターを備え、本体と嵌合する１個の容器基台に着脱自在に嵌合する１個、または複数個の容器、あるいは、液体用・乾物用など調理材料により使い分ける複数個の容器完成品で構成していた。
【０００３】
従来、この種の電動調理器は、図５に示すような構造が一般的であった。すなわち、１はモータ２を内蔵した本体、３は本体１上に着脱自在に嵌合する容器基台で、モータ２によりカップリング４およびカップリング５の係合を通じて回転駆動されるカッター６を回転自在に支持している。７は容器基台３に着脱自在にねじ８により嵌合される容器、９は容器７と容器基台３により挟まれ調理材料１０が洩れないようにシールする弾性体よりなるパッキンである。
【０００４】
以上のように構成された電動調理器において、以下にその動作を説明する。まず容器７を開口部１１が上方なる向きにし、調理材料１０を入れ、容器開口部１１の下端面１２にパッキン９を載せ、この状態の上に容器基台３をかぶせ、ねじ８の嵌合にて容器７と容器基台３とを締め付け固定する。そして、これらを逆さまにし容器基台３を本体１上に載置嵌合した後、モータ２を駆動するとカッター６が回転し切削・撹拌・粉砕できる。
【０００５】
【発明が解決しようとする課題】
しかしながら、上記従来の構成では、１個の容器７と１個の容器基台３で構成されるため、例えば香辛料などの臭いのきつい調理材料１０の粉砕を行った場合、容器７などを洗浄した後、他の調理材料の粉砕を行っても他の調理材料に臭いが移ることがあった。これを防止するために容器のみを複数個用いるか、あるいは、複数個の容器完成品を用い調理材料種類別に使い分けていたため部品数が多くなっていた。また、カッター６の回転途中では材料を投入できないなどの課題を有していた。
【０００６】
本発明は、上記従来の課題を解決するもので、調理材料に臭い移りがなく、かつ調理途中での調理材料の追加、あるいは、少量ずつ投入しながら粉砕できる電動調理器を提供することを目的としている。
【０００７】
【課題を解決するための手段】
上記目的を達成するために、本発明の電動調理器は、容器を上下２容器に分離して構成し、前記２容器を連通する連通口を設けて、異なった調理材料を各々の容器内で粉砕するようにしたものである。
【０００８】
これにより、異なった材料、および粉砕を異なった容器内で行うことができるとともに、調理途中での調理材料の追加、あるいは、少量ずつ投入しながら粉砕することができる。
【０００９】
【発明の実施の形態】
請求項１に記載の発明は、モータを内蔵した本体と、前記本体上に着脱自在に嵌合し、かつ前記モータにより回転駆動されるカッターを設けた容器基台と、前記容器基台に着脱自在とする嵌合部を両端の開口部に形成した容器とを備え、前記容器は上下２容器に分離する壁面を有し、かつ壁面には前記２容器を連通させる連通口を設けた電動調理器とすることにより、異なった材料、および粉砕を異なった容器内で行うことができるとともに、調理途中での調理材料の追加、あるいは、少量ずつ投入しながら粉砕することができる。
【００１０】
請求項２に記載の発明は、２容器は、それぞれ異なる形状に形成した請求項１に記載の電動調理器とすることにより、調理内容、材料に合わせたより適切な形状の容器を選択できるとともに、２容器の容量を変えて設定できる。
【００１１】
請求項３に記載の発明は、２容器は、それぞれ異なった材料で形成した請求項１に記載の電動調理器とすることにより、粉砕時衝撃の加わる材料、そうでない材料などにより容器を区分けして使用できる。
【００１２】
請求項４に記載の発明は、２容器は、それぞれ異なった色で形成した請求項１に記載の電動調理器とすることにより、調理材料の色による色移りの目立ちにくい色で容器を形成することができるとともに、どの調理はどちらの容器を使用するのか、使用者に対して色にてわかりやすく明示することができる。
【００１３】
請求項５に記載の発明は、２容器は分離自在とし、一方の容器は両端を開口形状とし、他方の容器は、一端に連通口を設けた壁面を有し他端は開口形状とし、かつ２容器には、ともに容器基台に着脱自在とするとともに連通口を設けた容器を他の容器に対して可逆的に結合した請求項１〜３のいずれか１項に記載の電動調理器とすることにより、２容器の組み合わせ形態により容器の容量を自由に変えることができる。
【００１４】
【実施例】
以下、本発明の実施例について図面を参照しながら説明する。
【００１５】
（実施例１）
図１は、本発明の実施例１における電動調理器示す。
【００１６】
図において、２１はモータ２２を内蔵した本体、２３は本体２１上に着脱自在に嵌合する容器基台で、モータ２２によりカップリング２４およびカップリング２５の係合を通じて回転駆動されるカッター２６を回転支持している。２７は容器基台２３に着脱自在にねじ部２８で嵌合される容器、２９は容器２７と容器基台２３により挟まれ、調理材料３０が洩れないようにないようシールする弾性体よりなるパッキンである。
【００１７】
容器２７は、その壁面３１により容器Ａ３２と、容器Ｂ３３との２容器に分割されている。容器Ａ３２と容器Ｂ３３との開口部３９、３４外周には、容器基台２３に嵌合できるようねじ部２８、３５を設けている。そして、壁面３１には、容器Ａ３２と、容器Ｂ３３とを連通する連通口３６を形成しており、着脱自在な蓋３７により閉塞されている。なお、容器２７の開口部３４は容器蓋３８で閉塞されている。
【００１８】
以上のように構成された電動調理器において、以下にその動作を説明する。まず容器Ａ３２の開口部３９が上方になる向きにし、連通口３６より大きな調理材料３０を入れ、次いで開口部３９の下端面４０にパッキン２９を載せ、この状態の上に容器基台２３をかぶせ、ねじ部２８の嵌合にて容器２７と容器基台２３とを締め付け固定する。そして、これらを逆さまにし容器基台２３を本体２１上に載置嵌合した後、モータ２２を駆動するとカッター２６が回転し調理材料３０を粉砕する。また、小さな粒状の調理材料は蓋３７をはずした後、容器Ｂ３３に入れて連通口３６から投入しながら切削・撹拌・粉砕する。なお、逆転させて容器Ｂ３３を使用し調理するときも同様の操作にて、調理材料の切削・撹拌・粉砕ができる。
【００１９】
以上のように本実施例によれば、１個の容器に２容器Ａ、Ｂを備え、異なる容器にて異なる調理材料の撹拌・粉砕ができる。例えば、乾物材料を容器Ａ３２で粉砕し、その後、容器基台２３のみを清掃し、液体材料を容器Ｂ３３で連続して調理することができる。あるいはまた、小さな粒状の調理材料は、蓋３７を外し連通口３６から投入しながら粉砕できるので、かさばる材料を粉砕する場合は、最初から容器に入れるよりは、同じ容積の容器であっても一度により多くの分量を、しかも、徐々に投入できるのでより微細に粉砕できる。また、壁面３１を設ける位置により容器Ａ３２と、容器Ｂ３３の容量を設定でき、小容量の粉砕も可能となる。
【００２０】
なお、本実施例では壁面３１を容器２７に一体に形成したが、別部材として容器を上下に分離するものであっても同様の効果が得られる。
【００２１】
（実施例２）
図２は本発明の実施例２における電動調理器の容器の断面を示す。実施例１と同一部材については同一符号とし説明を省く。
【００２２】
図において、４１は容器で、壁面４２により略円筒状の容器Ａ４３と、略円錐状の容器Ｂ４４との形状の異なる２容器に分割され、容器Ａ４３と容器Ｂ４４の開口部３９、３４には、容器基台２３に嵌合するねじ部２８、３５が設けられている。
【００２３】
以上のように本実施例によれば、略円筒状の容器Ａ４３では比較的重く撹拌しやすい材料などを、略円錐状の容器Ｂ４４では比較的軽く粉砕中落下しにくい材料などと、１個の容器４１にて異なる調理材料の撹拌・粉砕を行える。また、小さな粒状の調理材料４６は、容器Ｂ４４に入れた状態でカッター２６を回転させれば、調理材料４６は連通口３６より自重で落下しながら徐々に粉砕されるのでより微細に粉砕できる。また、壁面４２部は、開口部３４に比較して断面積が小さくなっているので、容器Ａ４３で乾物材料の粉砕を行ったとき粉砕された材料が発熱し容器４１の外壁が熱くなるが、小さな断面積の壁面４２部が熱抵抗となり離脱時に操作する容器Ｂ４４外壁の温度上昇を抑制することができ扱いやすくなる。
【００２４】
（実施例３）
図３は本発明の実施例３における電動調理器の容器を示す。実施例１、２と同一部材については同一符号とし説明を省く。
【００２５】
図において、５１は２色成形で一体に形成された容器で、容器Ａ５２と、容器Ｂ５３とで構成され、各々の壁面５４、５５により固着されている。容器Ａ５２は、ポリカーボネートなどの耐衝撃樹脂で、容器Ｂ５３は、アクリルなどの一般樹脂で、それぞれ異なった材質の樹脂で形成されている。
【００２６】
以上のように本実施例によれば、容器Ａ５２では香辛料などの比較的堅く粉砕時衝撃が加わる調理材料を、容器Ｂ５３ではごまなどの比較的柔らかく衝撃の加わりにくい調理材料と、調理材料の種類を区別して撹拌・粉砕を行える。これにより、容器全体を単価の高い耐衝撃樹脂のみで形成しなくてもよく、部品を安価に製作できる。
【００２７】
また、本実施例では容器を２色成形で一体に形成したが、容器Ａ５２、容器Ｂ５３を別体で構成し、壁面５４、５５同士をねじ嵌合などで結合してもよい。また、本実施例では、異なる材料で容器を構成したが、色移りしやすい調理材料の粉砕用としては濃いめのスモーク色、そうでない調理材料には透明色と、異なる色で形成し色移りを目立ちにくくできるとともに、色の組み合わせの選択範囲も広げることができる。また、どの調理はどちらの容器を使用するのか、使用者に対して色にてわかりやすく明示することができる。
【００２８】
（実施例４）
図４（ａ）、（ｂ）は本発明の実施例４における電動調理器の容器を示す。実施例１と同一部材については同一符号とし説明を省く。
【００２９】
図において、６１は容器Ａ６３と容器Ｂ６５とに分離自在に構成された容器で、一方の容器Ａ６３は両端に開口部３９、６２を有し両端を開口形状とし、他方の容器Ｂ６５は、一端に連通口３６を設けた壁面６４を有し他端は開口形状としている。容器Ａ６３と容器Ｂ６５は、ともに嵌合部２８、３５で容器基台２３に着脱自在が可能となっているとともに、容器Ａ６３の嵌合部２８との反対側の雄ねじ６６からなる嵌合部に容器Ｂ６５の両端内側の雌ねじ６７、６８からなる嵌合部が結合するようになっていて、容器Ｂ６５が可逆的に結合される。
【００３０】
以上のように本実施例によれば、図（ａ）では容器Ａ６３で小容量、逆転させて容器Ｂ６５で中容量、そして図（ｂ）では容器Ａ６３と容器Ｂ６５で大容量と用途に合わせた３種類の容量の調理が行える。
【００３１】
【発明の効果】
以上のように、本発明によれば、容器を上下２容器に分離することにより、異なった材料、調理を異なった容器内で行うことができるとともに、粉砕途中での材料の投入、あるいは少量ずつ投入しながらの粉砕などができるものである。
【図面の簡単な説明】
【図１】本発明の実施例１における電動調理器の要部破断面図
【図２】本発明の実施例２における電動調理器の容器完成品の要部断面図
【図３】本発明の実施例３における電動調理器の容器の断面図
【図４】（ａ）本発明の実施例４における電動調理器の容器の断面図
（ｂ）同電動調理器の変形容器の断面図
【図５】従来の電動調理器の要部破断面図
【符号の説明】
２１　本体
２２　モータ
２３　容器基台
２６　カッター
２７、４１、５１、６１　容器
３１、４２、５４、５５、６４　壁面
３２、４３、５２、６３　容器Ａ
３３、４４、５３、６５　容器Ｂ
３６　連通口
【図１】
2004016693.tif 000003
【図２】
2004016693.tif 000004
【図３】
2004016693.tif 000005
【図４】
2004016693.tif 000006
【図５】
2004016693.tif 000007